(57)【要約】【課題】複数のユーザーがマルチメディアコンテンツについて対話でき、コンテンツの表示画面をコンテンツの類型に合わせて調整できるインタフェース画面を表示するマルチメディアコンテンツの配信方法を提供する。【解決手段】チャネルガイドと、ユーザー間でファイルとデータを共有するファイル送信器と、ユーザー間でアプリケーションプログラムを共有するアプリケーションプログラム共有ウィンドウと、同期インターネットブラウザと、ユーザーが投票を行う投票エリアと、ユーザーが書込み等を行う共有ホワイトボードと、ユーザー間で通信を行うチャットルームエリアと、会議の内容を記録するレコーダーと、該会議のページタブを切替えるページタブ・インタフェースと、商品情報を提供するコマーシャルエリアとを含むインタフェース画面をユーザー端末に表示するマルチメディアコンテンツの配信方法。【選択図】図２
2006314073.tif 000002
【特許請求の範囲】
【請求項１】
ユーザー端末にインタフェース画面を表示するマルチメディアコンテンツの配信方法であって、該インタフェース画面が、ユーザーが該マルチメディアコンテンツを選択する場合の参考とするチャネルガイドと、
ユーザーの間でファイルとデータを共有するためのファイル送信器と、
ユーザーの間でアプリケーションプログラムを共有するためのアプリケーションプログラム共有ウィンドウと、
ユーザーが同時にインターネットのホームページを購読するための同期インターネットブラウザと、
ユーザーが投票を行う投票エリアと、
ユーザーがペイントしたり、テキスト入力したり、ピクチャを貼り付けたりする共有ホワイトボードと、
ユーザー間で通信を行うためのチャットルームエリアと、
ユーザーが会議の内容を記録するためのレコーダーと、
ユーザーが該会議のページタブを切替えるためのページタブ・インタフェースと、
ユーザーに商品情報を提供するコマーシャルエリアと、を含むことを特徴とするマルチメディアコンテンツの配信方法。
【請求項２】
前記マルチメディアコンテンツが、映画、動画、音声、音楽、試合、ゲーム、演出もしくはこれらを組み合わせたものであることを特徴とする請求項１に記載のマルチメディアコンテンツの配信方法。
【請求項３】
前記マルチメディアコンテンツが、リアルタイムか、もしくはリアルタイムに近いデータストリームであることを特徴とする請求項１に記載のマルチメディアコンテンツの配信方法。
【請求項４】
前記マルチメディアコンテンツが、複数存在し、且つ該複数のマルチメディアコンテンツのデータストリームが、同一チャネル上を流れることを特徴とするマルチメディアコンテンツの配信方法。
【請求項５】
前記ユーザーが、共有するファイル、もしくはデータの送信を受信するか、または拒絶することを特徴とする請求項１に記載のマルチメディアコンテンツの配信方法。
【請求項６】
前記投票エリアを利用して行う投票の結果が自動的に統計され、該投票結果が選択的に複数のユーザーと共有されることを特徴とする請求項１に記載のマルチメディアコンテンツの配信方法。
【請求項７】
前記チャットルームエリアが、テキストメッセージを入力して通信を行うエリアであることを特徴とする請求項１に記載のマルチメディアコンテンツの配信方法。
【請求項８】
前記ユーザーに、該ホワイトボード、チャットルーム、もしくは投票について選択的に利用するか、または拒絶する権利が与えられることを特徴とする請求項１に記載のマルチメディアコンテンツの配信方法。
【請求項９】
ユーザー端末にインタフェース画面を表示するマルチメディアコンテンツの配信方法であって、該インタフェース画面が、ユーザーの間でアプリケーションプログラムを共有するためのアプリケーションプログラム共有ウィンドウと、
ユーザーが同時にインターネットのホームページを購読するための同期インターネットブラウザと、
ユーザーの間でオブジェクト、マルチメディアコンテンツ、データ、もしくはファイルを送信するか、または交換するためのファイル送信器と、
ユーザーが投票を行う投票エリアと、
ユーザーがペイントしたり、テキスト入力したり、ピクチャを貼り付けたりする共有ホワイトボードと、
ユーザーが個人的に他のユーザーと通信を行うメッセージエリアと、
ユーザーが会議の内容を記録するためのレコーダーと、
ユーザーが対話型のガイドを表示し、マルチメディアコンテンツを選択する場合に対話型のガイドを表示するチャネルガイドと、
ユーザーに提供するデータを表示するデータエリアと、を含むことを特徴とするマルチメディアコンテンツの配信方法。
【請求項１０】
前記インタフェース画面が、コマーシャルを表示するコマーシャルエリアと、
ユーザーが時間をアレンジするための時間表と、
マルチメディアコンテンツを保護するデジタル・ライト・マネージメントモジュールと、
ユーザーがマルチメディアコンテンツ、または商品を購買するための購買エリアと、
ホスト端からユーザーに送信する通知を表示する掲示エリアと、
各種の設定と、その応用をユーザーに提供するツールバーと、を更に含んでなることを特徴とする請求項９に記載のマルチメディアコンテンツの配信方法。
【発明の詳細な説明】
【技術分野】
【０００１】
この発明は、マルチメディアコンテンツの配信方法に表示に関し、特に対話型のコミュニケーションを提供する対話型マルチメディアインタフェース画面の表示を含むマルチメディアコンテンツ配信方法に表示に関する。
【背景技術】
【０００２】
従来のテレビ放送は、地上波放送、衛生放送、もしくはテレビ信号をケーブルで端末のテレビジョンに送信する有線放送などがある。しかしながら、いずれの放送方法でもその番組は予め放送時間が決められ、事前に録画されたコンテンツがほとんどである。
【０００３】
上述の従来のテレビ放送に見られる固定的な番組放送時間と、これに基づき番組を放送する方式は、従来のテレビ放送局による放送方式に適しているが、柔軟性に欠けるということができる。即ち、テレビ局が作成した番組表に基づき、コンテンツを視聴者に提供するだけの従来の固定的な方式では、視聴者の番組選択の範囲が限られたものとなり、たとえ放送技術がディジタル放送に進歩しようと、視聴者の反応は予期したものより低くなる。
【０００４】
また、従来のテレビ放送は、視聴者が放送されるコンテンツを鑑賞するだけであって、言うなれば受動的である。即ち、対話式のコミュニケーションに欠ける。対話式のコミュニケーションに欠けることによって、視聴者の満足度も低下する。
【発明の開示】
【発明が解決しようとする課題】
【０００５】
この発明は、複数のユーザーがマルチメディアコンテンツについて対話型のコミュニケーションを取ることができ、また、コンテンツの表示画面をコンテンツの類型に合わせて調整できるインタフェース画面を表示する、柔軟性を具えた対話式マルチメディアコンテンツの配信方法を提供することを課題とする。
【課題を解決するための手段】
【０００６】
そこで、本発明の発明者は従来の技術に見られる欠点に鑑みて鋭意研究を重ねた結果、ユーザー端末にインタフェース画面を表示するマルチメディアコンテンツの配信方法であって、該インタフェース画面が、ユーザーが該マルチメディアコンテンツを選択する場合の参考とするチャネルガイドと、ユーザーの間でファイルとデータを共有するためのファイル送信器と、ユーザーの間でアプリケーションプログラムを共有するためのアプリケーションプログラム共有ウィンドウと、ユーザーが同時にインターネットのホームページを購読するための同期インターネットブラウザと、ユーザーが投票を行う投票エリアと、ユーザーがペイントしたり、テキスト入力したり、ピクチャを貼り付けたりする共有ホワイトボードと、ユーザー間で通信を行うためのチャットルームエリアと、ユーザーが会議の内容を記録するためのレコーダーと、ユーザーが該会議のページタブを切り換えるためのページタブ・インタフェースと、ユーザーに商品情報を提供するコマーシャルエリアと、を含むことを特徴とするマルチメディアコンテンツの配信方法によって課題を解決できる点に着眼し、かかる知見に基づいて本発明を完成させた。
【０００７】
以下、この発明について具体的に説明する。
請求項１に記載するマルチメディアコンテンツの配信方法は、ユーザー端末にインタフェース画面を表示するマルチメディアコンテンツの配信方法であって、該インタフェース画面が、ユーザーが該マルチメディアコンテンツを選択する場合の参考とするチャネルガイドと、
ユーザーの間でファイルとデータを共有するためのファイル送信器と、
ユーザーの間でアプリケーションプログラムを共有するためのアプリケーションプログラム共有ウィンドウと、
ユーザーが同時にインターネットのホームページを購読するための同期インターネットブラウザと、
ユーザーが投票を行う投票エリアと、
ユーザーがペイントしたり、テキスト入力したり、ピクチャを貼り付けたりする共有ホワイトボードと、
ユーザー間で通信を行うためのチャットルームエリアと、
ユーザーが会議の内容を記録するためのレコーダーと、
ユーザーが該会議のページタブを切替えるためのページタブ・インタフェースと、
ユーザーに商品情報を提供するコマーシャルエリアと、を含む。
【０００８】
請求項２に記載するマルチメディアコンテンツの配信方法は、請求項１におけるマルチメディアコンテンツが、映画、動画、音声、音楽、試合、ゲーム、演出もしくはこれらを組み合わせたものである。
【０００９】
請求項３に記載するマルチメディアコンテンツの配信方法は、請求項１におけるマルチメディアコンテンツが、リアルタイムか、もしくはリアルタイムに近いデータストリームである。
【００１０】
請求項４に記載するマルチメディアコンテンツの配信方法は、マルチメディアコンテンツが複数存在し、且つ該複数のマルチメディアコンテンツのデータストリームが、同一チャネル上を流れる。
【００１１】
請求項５に記載するマルチメディアコンテンツの配信方法は、請求項１におけるユーザーが、共有するファイル、もしくはデータの送信を受信するか、または拒絶する。
【００１２】
請求項６に記載するマルチメディアコンテンツの配信方法は、請求項１における投票エリアを利用して行う投票の結果が自動的に統計され、該投票結果が選択的に複数のユーザーと共有される。
【００１３】
請求項７に記載するマルチメディアコンテンツの配信方法は、請求項１におけるチャットルームエリアが、テキストメッセージを入力して通信を行うエリアである。
【００１４】
請求項８に記載するマルチメディアコンテンツの配信方法は、請求項１におけるユーザーに、該ホワイトボード、チャットルーム、もしくは投票について選択的に利用するか、または拒絶する権利が与えられる。
【００１５】
請求項９に記載するマルチメディアコンテンツの配信方法は、ユーザー端末にインタフェース画面を表示するマルチメディアコンテンツの配信方法であって、該インタフェース画面が、ユーザーの間でアプリケーションプログラムを共有するためのアプリケーションプログラム共有ウィンドウと、
ユーザーが同時にインターネットのホームページを購読するための同期インターネットブラウザと、
ユーザーの間でオブジェクト、マルチメディアコンテンツ、データ、もしくはファイルを送信するか、または交換するためのファイル送信器と、
ユーザーが投票を行う投票エリアと、
ユーザーがペイントしたり、テキスト入力したり、ピクチャを貼り付けたりする共有ホワイトボードと、
ユーザーが個人的に他のユーザーと通信を行うメッセージエリアと、
ユーザーが会議の内容を記録するためのレコーダーと、
ユーザーが対話型のガイドを表示し、マルチメディアコンテンツを選択する場合に対話型のガイドを表示するチャネルガイドと、
ユーザーに提供するデータを表示するデータエリアと、を含む。
【００１６】
請求項１０に記載するマルチメディアコンテンツの配信方法は、請求項９におけるインタフェース画面が、コマーシャルを表示するコマーシャルエリアと、
ユーザーが時間をアレンジするための時間表と、
マルチメディアコンテンツを保護するデジタル・ライト・マネージメントモジュールと、
ユーザーがマルチメディアコンテンツ、または商品を購買するための購買エリアと、
ホスト端からユーザーに送信する通知を表示する掲示エリアと、
各種の設定と、その応用をユーザーに提供するツールバーと、を更に含んでなる。
【発明の効果】
【００１７】
この発明のマルチメディアコンテンツの配信方法は、各種のテーブルを利用するユーザーにマルチメディアコンテンツを配信してユーザーの選択に供することができ、またコンテンツを表示する画面を調整でき、かつ配信されるコンテンツについて対話型のコミュニケーションを取ることができるため、マルチメディア配信方法に変化と幅広い応用を与えるとう利点を有する。
【発明を実施するための最良の形態】
【００１８】
この発明は、マルチメディアコンテンツの配信方法を提供するものであって、柔軟で調整可能なインタフェース画面をユーザー端末に表示することを含むマルチメディアコンテンツの配信方法である。該インタフェースは、コンテンツの類型に合わせ、柔軟に調整できるものであって、また、インターネット、衛生放送、ケーブルテレビ、セットアップボックスを設けたテレビ、電信ネットワーク、無線ネットワーク、携帯電話機、ローカルエリアネットワーク、またはその他電子設備からリンクする他のタイプのネットワークなどの、異なるテーブルを利用する複数のユーザーに、複数のマルチメディアコンテンツを提供し、且つ対話型のコミュニケーションを取れるようにするものである。
【００１９】
この発明は、単一のチャネルを介して複数のマルチメディアコンテンツのデータストリームをユーザーに提供することができる。例えば８つのビデオ信号と、８つの音声信号が同一のチャネルで送信される。よって、単独の表示装置、もしくはウィンドウでマルチメディアコンテンツを表示するとともに、対話機能を得ることができる。この発明において、マルチメディアコンテンツのデータストリームは、リアルタイムか、もしくはリアルタイムに近い形式で送信される。
係るマルチメディアコンテンツの配信方法について、その特徴を詳述するために具体的な実施例を挙げ、図示を参照にして以下に説明する。
【００２０】
図１に、この発明によるマルチメディアコンテンツ配信方法におけるシステムの基本的な構造を開示する。図面によれば、図面によれば、マルチメディアコンテンツ配信システム１１０は、コアサーバ１２０と、複数のストリーミングサーバ（Streaming  Server）１４１、１４２、１４３、１４４などと、エンコーダ１５１、１５２と、ファイヤウォール１３０を含む。
【００２１】
以上の構造によって、マルチメディアコンテンツが、エンコーダ１５１等によるエンコードを経て、更にストリーミングサーバ１４１等を介してユーザー１６１等に配信される。
【００２２】
エンコーダは、図面にエンコーダ１５１、１５２を開示するが、設ける数は２つに限ることなく、少なくとも一以上設けるものとする。また、エンコーダはマルチメディアコンテンツに対してエンコードを行い、ストリーミングサーバ１４１、１４２、１４３、１４４等がリアルタイムでストリーミングを行い、且つ様々なビット送信率と解析度を達成するために、エンコードしたマルチメディアコンテンツをストリーミングサーバ１４１、１４２、１４３、１４４等に提供する。
【００２３】
コアサーバ１２０は、認証サーバ（authentication  Server）１２１、マスターサーバ１２２、ウェブサーバ１２３等の複数のサーバと、データベース１２４を含み、これらを統括してコアサーバとするか、これらサーバとデータベースの機能を具える単一のサーバか、もしくは認証サーバ１２１、マスターサーバ１２２、ウェブサーバ１２３等の複数のサーバを独立したサーバとして、それぞれを連結してもよい。
【００２４】
認証サーバ１２１はユーザーのIDの真実性をチェックするために用いる。よって、ユーザーは係るチェックにパスした後、初めてストリーミングサーバにリンクすることができる。  
【００２５】
マスターサーバ１２２はユーザーを特定のストリーミングサーバにガイドするために用いる。即ちマスターサーバ１２２に設定されたポリシーに基づき、ユーザーをどのストリーミングサーバにガイドするかを決定する。該ポリシーにおいて考慮する要素にはIP範囲、ユーザーのデータ、ユーザーのアカウント、社名、チャネル等が含まれる。例えばユーザーのIPに基づいてユーザーの位置を割り当てるようにポリシーを設定した場合、該ユーザーの付近の適宜なストリーミングサーバが選定される。
【００２６】
ウェブサーバ１２３は、例えばテレビの番組情報と同様に、番組情報を提供する。よって、ユーザーはチャネル、もしくはテレビ番組を選択することができる。該番組情報には番組のテーマ、プロバイダ、簡単な紹介、時間、期日、番組に関する流行情報、もしくはその他情報を含む。
【００２７】
データベース１２４は、アカウント等を含むユーザーデータ、ポリシー、ウェブサイト情報、もしくはその他データを保存するために用いられる。
【００２８】
ファイヤウォール１３０は、コアサーバ１２０と、ストリーミングサーバ１４１、１４２、１４３、１４４等とを仕切り、コアサーバ１２０を保護するために設ける。よって、例えばコアサーバ１２０がハッカーからの攻撃を受けた場合の安全性を高めることができる。
【００２９】
ストリーミングサーバは、例えばストリーミングサーバ１４１、１４２、１４３、１４４等の複数のストリーミングサーバによってなり、例えばユーザー１６１、１６２、１６３、１６４などのユーザーとの間においてマルチメディアストリームの送信を行う。
【００３０】
この発明のシステムはストリーミングサーバを増加して、ユーザー数による要求に応えられるように拡張することができる。よって、ネットワークの負担をこれらサーバで平均的に分配し、バランスをとることができるとともに、多数のストリーミングサーバを有することによって、サーバの利用効率を高めることができる。
【００３１】
ストリーミングサーバ１４１、１４２、１４３、１４４などの内、どのストリーミングサーバが利用可能、もしくはリンクされているか確定するためにメインサーバ１２２はハートビート信号をそれぞれのストリーミングサーバであるストリーミングサーバ１４１、１４２、１４３、１４４等に周期的に送信する。該ハートビート信号は例えばTCPパケットであって、ストリーミングサーバ１４１、１４２、１４３、１４４等が正常に動作しているか調べるために出力する。係る方式によって、メインサーバ１２２は有効なサーバのメニューを保持することができる。従って、ストリーミングサーバが故障した場合、もしくはリンクを中断してメンテナンスを行う場合、マスターサーバ１２２は設定されたポリシーに基づき、ユーザーをその他利用可能なストリーミングサーバにガイドする。
【００３２】
また、帯域幅を節約するために、単一のチャネル、もしくは複数のチャネルにおいてマルチキャストプロトコルを利用してマルチメディアコンテンツのデータストリームを送信する。
【００３３】
ネットワークの能力、もしくは環境に基づき、チャネルは比較的低い５６Kbpsによってダイヤル接続とするか、１．５Mbpsか、またはこれより更に高いブロードバンド用の速度としてもよい。同様に解析度も１６０×１２０、１７６×１４４、３２０×２４０、３５２×２８８、６４０×４８０、もしくは更に高い解析度から選択できるようにする。また、フレームレートは使用する周波数帯域に基づいて調整を行う。フレームレートが速くなるにつれて、更に広い周波数帯域を必要とする。例えばフレームレートの再低値を１秒１画面に調整するか、もしくは更に高くして１秒３０画面にしてもよい。
【００３４】
エンコーダ１５１、１５２は最も好ましい圧縮エンコード／デコーダでリアルタイムか、もしくはリアルタイムに近いマルチメディアストリームを発生させ、バッファ処理の必要を無くする。このため、ユーザー、もしくはテレビ局はリアルタイムか、リアルタイムに近いマルチメディアコンテンツに対話型の機能を発生させることができる。
【００３５】
TCPはコアサーバ１２０とストリーミングサーバ１４１、１４２、１４３、１４４とをリンクした場合、パケットが所定の順序で送受信されることを確保するためのものである。
【００３６】
また、この発明においては、ＵＤＰ（User Datagram Protocol）を利用して、エンコーダ１５１、１５２、ストリーミングサーバ１４１、１４２、１４３、１４４、及びユーザーの間においてＩＰパケットの送信を行う。
【００３７】
また、この発明はマルチキャスティングを利用してコンテンツを選定されたグループか、もしくは複数のユーザーに送信する。例えば、ストリーミングサーバ１４３、１４４を有するＩＳＰ（インターネットサービスプロバイダ）３（図１参照）は、ストリーミングサーバ１４３と１４４とをリンクしてユーザー１６３、１６４などにマルチキャスティングでマルチメディアコンテンツを送信することができる。
【００３８】
この発明によるマルチメディアコンテンツ配信方法について、実例を挙げて以下に詳述する。
【００３９】
コンテンツ製作者が、この発明によるマルチメディア配信システムで放送するマルチメディアコンテンツを製作した。該コンテンツは予め記録されたものか、もしくはリアルタイムの生放送である。
【００４０】
また、プロバイダがこの発明のマルチメディア配信システムを新規に構築した。但し、既存する構造などを組み合わせて構成してもよい。
【００４１】
上述するマルチメディアのコンテンツ製作者とプロバイダは同一の実体であるか、もしくは異なる実体である。
【００４２】
マルチメディアのコンテンツ製作者とプロバイダが異なる実体である場合、マルチメディアのプロバイダもマルチメディアコンテンツに関する番組情報を準備して、ユーザーに提供する。これはユーザーがチャネルを選択するか、もしくは番組に参加する場合の参考用とするものである。
【００４３】
システムが構築されて、ユーザーがユーザー登録をした。例えば、オンラインで利用契約を締結する等の方法でサービスを受けられる。次いで、アカウントを含むユーザーのデータが予めデータベースに保存された。
【００４４】
上述する状況下において、ユーザーがマルチメディアプロバイダにリンクし、認証データを入力するとＩＤの真実性が認証される。次いでユーザーはチャネルを選択するための番組情報、もしくは番組ガイドを取得することができる。ユーザーが希望するチャネルを選択すると、適宜なストリーミングサーバが選択され、マルチメディアコンテンツのデータがユーザーにストリーミングされる。
【００４５】
マルチメディアコンテンツは、リアルタイムもしくはリアルタイムに近似した形式でデータをストリーミングし、ユーザーがマルチメディアコンテンツについて対話型のコミュニケーションを取れるようにする。また、ユーザーは複数の方式で対話を行うことができる。例えば、インターネットにリンクすると、ユーザーはテキストをユーザー端末に表示されるインタフェース画面のチャットルームに入力することができる。この場合、各種のチャネル、プロバイダ、ポリシー、もしくは製作者のデータに基づき、ユーザーが入力するテキストによって複数の画面が直接出現するか、もしくは選択的に出現する。また、他のユーザーの意見の閲覧が許容される。係る方式によってチャネル上の全てのユーザーが互いにリアルタイムで通信するか、もしくは製作者とリアルタイムで通信することができる。コンテンツの製作者はユーザーのレスポンスのフィードバック、もしくはユーザー同士のディスカッションの内容に基づき番組の内容を変更することができる。
【００４６】
例えば、配信されるマルチメディアのコンテンツが映画であれば、映画を放送すると同時に、該映画の内容などについて意見を発表したり、ディスカッションしたりすることができる。また、コンテンツが教育番組であれば、ユーザーは受講者となって、質問をしたり、質問に回答したりする方式で教育課程に参加することができる。
【００４７】
この発明においては、ユーザーはテキスト以外にマイクロフォン、もしくはネットワークカメラを利用して映像や音声を伝送することができる。係る方式を利用することによって、ユーザーはコンテンツの部分的な製作者となることができる。
【００４８】
上述する教育番組においては、指導者の映像が画面の一部の領域に出現し、個別の学生の映像がその他領域に表示される。即ち、画面に複数の学生と指導者の映像を含むマルチセッションのフレームを表示して会議することができる。このように、異なるユーザーの音声を送信することによって、指導者の音声以外に他の受講者の声を聞くことができる。即ち、チャネル上にバーチャルな環境を構築し、自身が現場に居るかのようなリアル性を達成する。
【００４９】
ユーザーはセットアップボックスを設けたテレビジョンによっても類似した結果を得ることができる。またユーザーは、例えば第３世代携帯電話によっても対話型のコミュニケーションをとることができる。即ちユーザーの有する設備の機能によって対話型のコミュニケーションの形態を決定することができる。これには、ショートメッセージサービス（ＳＭＳ）、マルチメディアメッセージサービス（ＭＭＳ）、静止画、動画、音声などを含む。更にユーザーは従来の電話によっても、マルチメディアコンテンツの音声の部分を聞いて対話型のコミュニケーションをとることができる。
【００５０】
この発明によるマルチメディアコンテンツ配信方法を達成するスマートタイプの対話型マルチメディアコンテンツ配信システムは、多種類の映像信号と音声信号のストリームを単一のチャネルで同時に送信できるように指示する。更に、強大な圧縮技術を利用し、ネットワークを介してリアルタイムか、リアルタイムに近いデータのストリーミングを達成し、コンテンツの製作者、またはプロバイダから各種の対話方式とマルチメディアコンテンツをユーザーに提供する。
【００５１】
図２に、この発明の方法において表示されるマルチメディアコンテンツのインタフェース画面に係る一例を開示する。図面によれば、インタフェース画面２００には、アドレスバー２１５を具えるインターネットブラウザ・ウィンドウ２１０と、２つのマルチメディア・ウィンドウ２２０、２２５と、ユーザーマルチメディア・ウィンドウ２３０と、メッセージ・ウィンドウ２４０と、会員リスト・ウィンドウ２５０と、コントロールエリア２６０とを含む。
【００５２】
該インターネットブラウザ・ウィンドウ２１０は、ユーザーがログインしてインターネットのコンテンツやウェブページを購読するためのものである。ウェブアドレスをアドレスバー２１５に入力するか、ウェブページのハイパーリンクを利用してもよい。
【００５３】
マルチメディア・ウィンドウ２２０、２２５は、ホスト端、コンテンツの製作者、もしくはその他ユーザーが提供する購読可能なマルチメディアコンテンツ表示するためのものである。また、ユーザーは、アップロードしたマルチメディアコンテンツ、もしくはネットワークカメラのキャプチャしたマルチメディアコンテンツをマルチメディア・ウィンドウ２３０に表示することができる。
【００５４】
メッセージ・ウィンドウ２４０は、ユーザーにテキストメッセージ、マルチメディアメッセージサービス（ＭＭＳ）、ショートメッセージサービス（ＳＭＳ）等のメッセージ、もしくはその他メッセージの送信を提供するものである。これらメッセージの受信者はＴＯボックス（ＴＯ  ｂｏｘ）２４１から選択することができる。受信者は全てのユーザー、会員であるか、特定の会員であるか、または複数の会員である。テキストはテキスト入力ボックス２４２に入力する。システムメッセージは、システムメッセージボックス２４３を選択して送信することができる。
【００５５】
会員リスト・ウィンドウ２５０は、全てのユーザーと現在のイベントを表示し、会員名２５２は、目下のステータスピクチャ２５３によって目下のステータスを表示する。例えば、会員がオンライン、オフライン、ビジー等の状況の場合、該ステータスピクチャ２５３によって対応するピクチャを表示する。
【００５６】
コントロールエリア２６０は、各種の制御選択項目と、それぞれ異なる対話型、もしくは番組ツールの選択を提供するエリアであって、クリックボタンを選択して適宜な機能、もしくはツールを実行する。
【００５７】
インタフェース画面のサイズ、方向、位置、画面のレイアウトは、マルチメディアコンテンツのプロバイダが設定しなおすか、もしくは個別の会員によって調整することができる。例えば、会員は単一のマルチメディア・ウィンドウのみを選択するか、もしくは他人の個人のウィンドウを閉じて、更に多くのマルチメディア・ウィンドウを表示することができる。
【００５８】
図３Ａから図３Ｆに、この発明の方法におけるインタフェース画面の他の態様を開示する。図面によれば、インタフェース画面３００は、マルチメディア・ウィンドウ３１０と、ツールバー３２０と、データ・ウィンドウ３３０と、チャットルームエリア３４０と、投票エリア３５０とを含む。
【００５９】
インタフェース画面３００は、対話型の機能を有するものであって、図３Ａは野球放送する場合の一例である。マルチメディア・ウィンドウ３１０には、野球の試合を放送する。野球放送は実況中継か、録画されたものである。また、マルチメディア・ウィンドウ３１０は、図３Ｂに開示するように拡大して全画面表示とすることができる。
【００６０】
データ・ウィンドウ３３０は、図３Ｃに開示するように、統計データ、その他データ等を提供する。これらデータには、試合の得点数、チームの対戦成績に係るデータ、もしくは選手個人のデータ等が含まれる。また、ユーザーが必要とする情報を容易に得られるようにセレクトボタン３３１を表示する。これらデータを表示する画面において、オブジェクトを選択する場合、画面をスクロールさせ、且つマウスによるクリック等の操作を行う。
【００６１】
図３Ｄに開示するように、チャットルームエリア３４０は会員がテキストメッセージで互いにコミュニケーションをとるためのエリアである。会員は伝えたいメッセージをテキスト入力ボックス３４１に入力して送信ボタン３４２をクリックし、テキストメッセージを送信する。送信したテキストメッセージは、チャットルームエリア３４０のメッセージ・ウィンドウ３４４に表示される。メッセージ・ウィンドウ３４４に表示されるメッセージは、スクロールバー３４３を操作して閲覧する。
【００６２】
投票エリア３５０はコンテンツの提供者もしくは製作者が会員に対して質問やアンケートを行い、これに回答する場合ためのものである。例えば、図３Ｅに開示するように、投票エリア３５０の質問エリア３５１に質問が表示され、結果発表エリア３５２内にアンケートの結果が表示される。
【００６３】
図３Ｆに開示するように、ツールバー３２０は各種のツールボタンを具え、必要に応じてツールボタンを選択し、クリックする。図面に開示する一例では、ツールバー３２０は、対話ボタン３２１、サービスボタン３２２、マイクボタン３２３、スピーカーボタン３２４、設定ボタン３２５を具える。
【００６４】
対話ボタン３２１は、会員が他の会員との間において音声による対話を行うためにマイクロフォンを利用する場合にクリックするボタンである。また、会員のマイクロフォンとスピーカーは、マイクボタン３２３とスピーカーボタン３２４によって設定を行う。
【００６５】
サービスボタン３２２は、会員がプロバイダにサポートを要求する場合、もしくはその他プロバイダのサービスを必要とする場合にクリックするボタンである。サービスボタン３２２をクリックすると、ホスト端から会員に直接コンタクトする。
【００６６】
設定ボタン３２５は、その他選択項目を設定するためのボタンである。
【００６７】
この発明によるマルチメディアコンテンツ配信方法は、上述する応用例に限定されることなく、必要に応じて柔軟的に態様を変化させ、異なる類型のコンテンツに幅広く応用することができる。例えば、この発明においては、画面に各種のツールボタンを表示して、設定、制御機能を提供する。これらツールボタンは、プロバイダが配信するマルチメディアコンテンツに適用できるツールを選択し、どのツールボタンを表示するか決定することができる。また、図３Ａは野球放送を一例としたものであって、インタフェース画面３００は、マルチメディア・ウィンドウ３１０と、ツールバー３２０と、データ・ウィンドウ３３０と、チャットルームエリア３４０と、投票エリア３５０とを含む。但し、マルチメディアコンテンツが野球放送以外のものであれば、インタフェース画面に含まれるウィンドウを適宜に修正することができる。
【００６８】
この発明によるマルチメディアコンテンツの配信方法は、複数のコンテンツ、アプリケーションプログラム、ツール、及び対話型の各種ウィンドウを含む。該ウィンドウにはメッセージ、アプリケーションプログラム共有、インターネット同期ブラウズ、ファイル送信と共有、選挙と投票、会議の記録、共有ホワイトボードとチャットルームなどのウィンドウを含む。
【００６９】
この発明は、アプリケーションプログラム共有ウィンドウを表示し、複数のユーザーがアプリケーションプログラムを共有できるようにする。即ち、ウィンドウを表示するプログラムをホスト端とユーザーとの間で共有できるようにする。この場合、ホスト端がアプリケーションプログラムを利用して、該アプリケーションプログラムに書かれた動作を実行すると、該アプリケーションプログラムを共有するユーザーは、その作用、進度、結果を得ることができる。ホスト端は説明会、またはトレーニングコースを開催して講習、トレーニングを複数のユーザーに行う事ができる。これはかなり効率が良く、ユーザーにとっても特定の場所に出かける必要がない。
【００７０】
また、ホスト端はアプリケーションプログラムを制御する権利を他のユーザーに与えることができる。これによってユーザーにシームレスコミュニケーション（ｓｅａｍｌｅｓｓ  ｃｏｍｍｕｎｉｃａｔｉｏｎ）の能力が具わり、また、リアルタイムの情報交換を達成することができるようになる。例えばホスト端がある技術について説明を行い、制御する権利をユーザー、受講者、トレーニングを受けた者に与え、且つその作用と結果を重視させる。更にユーザーの装置、またはコンピュータにアプリケーションプログラムをインストールする必要がなく、ユーザーは該プログラムを利用することができる。これは潜在的な購買者に対してかなり有効であって、説明する商品を購買する前に、先に該商品を使用することができる。
【００７１】
この発明は、同期インターネットブラウザを提供する。これによって、インターネット、もしくはネットワークのブラウザを同期制御することができる。ホスト端はリンクするためのツールを配布する。よって、全てのチャネル、もしくはネットワーク会議に酸化するユーザーは、ホームページ、ウェブサイトを介して同期ブラウズすることができる。
【００７２】
一例を挙げると、セールス・エージェントがその会社のホームページで将来の顧客に対して各種製品を紹介する場合、エージェントとユーザーが同期するため、同一時間において同時に商品を閲覧することができる。また、ユーザーは対話を行うことができるためテキスト、音声などによって質問をし、エージェントはテキスト、音声などによって回答することができる。
【００７３】
また、同期の制御をユーザーに与え、選択したホームページを全てのユーザーに閲覧させることができる。この場合、同期ブラウザで閲覧ガイドの役を演じることができる。即ち、ウェブサイト、またはインターネット上でその他ユーザーを実際にガイドして、ユーザー同士で互いに対話できるようにする。
【００７４】
またこの発明は、ファイル送信器を提供する。ファイル送信器は、ホスト端とユーザーとが同一のチャネルで、またはインターネット会議の参加者が送信、オブジェクト、マルチメディアデータ、その他データやファイルを交換するためのものである。それぞれのユーザーは送信、交換を受信するか、もしくは受信を拒否する権利を有する。このシステムはピアツーピア（ｐｅｅｒ  ｔｏ  ｐｅｅｒ）ネットワークをシミュレートしてものであって、ユーザーがファイル、またはデータを供有することができる。また、ファイル、もしくはデータを紹介するか、該データについて討論するために、ユーザーは他のユーザーと通信し、対話することができる。
【００７５】
この発明は、選挙、もしくは投票エリアを提供する。よって、ホスト端、またはユーザーによって選挙を行い、参加者がこれに投票する。係る投票はファイリングされたアンケート用紙を手動で、もしくは自動的に表示して行う。投票を始めるとシステムは投票の結果をホスト端のみに提供するか、もしくはそれぞれの参加者に表示する。また、選挙の結果は随時更新し、選挙期間中リアルタイムで表示するか、もしくは選挙終了後に統計して表示してもよい。
【００７６】
また、該投票エリアを、一種の質疑応答システムとしてもよい。即ち、教育チャンネルにおいて、ホスト端、もしくは講師が問題を提起し、受講者、または一般のユーザーがこれに回答するといったシステムである。答案は択一、評論、穴埋めなどの方法で行う。また、提起された問題に対して回答が返ってきた総数、もしくは該総数の正解率を回答する前に表示するか、もしくは回答した後表示するように選択することができる。必要であれば、正解した参加者のユーザーネームを公表するように選択することもできる。
【００７７】
また、投票、もしくは回答の履歴は個々の参加者によって保留することできる。例えば、講師が一連の試験問題を提出してテストを行った場合、これに回答した参加者は試験の結果を自己で保留することができる。同様に、投票を行った場合、その履歴、または行為を記録し、将来の運用と、もしくは検討の依拠とすることができる。
【００７８】
この発明は、共有ホワイトボードを提供する。共有ホワイトボードは、ユーザーとホスト端がペイントしたり、テキスト入力したり、ピクチャを貼りつけたりするものであって、複数のユーザーが共有ホワイトボード上で同時に対話することができる。また、ホスト端はユーザーの共有ホワイトボード使用に同意するか、拒絶する権利を有する。
【００７９】
また、該共有ホワイトボードを利用することによって、ユーザーは素早く対話を行い、意見を交換するか、またはグループで検討することができる。例えば社内の多くの社員がある構想を見て、それぞれの社員が修正を行ったり、書き換えたりし、且つ全ての参加者がリアルタイムで見られるようにする。
【００８０】
チャットルームエリアは、ユーザーがチャットルーム利用してオンライン中の他のユーザーと通信を行うために提供される。このチャットルームエリアは、分けられたタブベッドページか、同一ホームページ上に表示され、その他対話ツールとされる。チャネル上においてチャットルームエリアが異なるエリアに分けるか、単独のエリアにアレンジする。例えばエンジニアの教育チャネル上において、チャットルームエリアは全てエンジニアリングに関するものであるか、学科を機械、電子、土木等の複数のチャットエリアに分ける。また、その他対話ツールと同様に、個別のユーザー、またはグループのユーザーに対してチャットエリアの使用権を選択的に与えたり、拒絶したりする。例えば特定のユーザーがチャットルームを荒らす行為をした場合、チャットエリアを使用する権利が暫時取り消されるか、もしくは無期限の使用停止処分とするか、または永久に取り消される。
【００８１】
メッセージエリアにおいては、ユーザーが他のユーザーと直接通信を行うことができるが、別のユーザーが、その通信の内容を知ることができないようにする。例えば、ユーザーＡとユーザーＢとが互いにテキストメッセージを送信した場合、別のユーザーがユーザーＡとユーザーＢとの対話に気づくことがないようにするといった権利が付与される。必要であれば、ホスト端がメッセージ監視能力を具えるようにしてもよい。ここで注目すべき点は、チャットルームエリアとメッセージエリアは同一のエリアであるか、もしくはそれぞれ分離したエリアであってもよい。
【００８２】
また、この発明はレコーダーを提供し、ホスト端がユーザーに特権を与えると、ユーザーはチャネル、もしくは会議の進度を記録することができる。映像を記録するだけでなく、チャットエリアで交換したデータ、情報、投票、同期ブラウザ、もしくはホワイトボードの内容も記録することができる。ホスト端は、対話の行為を全て記録するか、もしくは会議の内容から選択して部分的に記録する能力を具える。記録した後、ユーザーもしくはホスト端は、後日、すべての対話の行為を改めて再生する能力を具える。これは会議、討論会、授業、トレーニングなどの対話の行為に対して特に役に立つものである。
【００８３】
ビジネスコマーシャル・コンテンツの製作者、またはプロバイダに対しては、コマーシャルエリア、またはコマーシャル・ウィンドウを提供する。これによって、ビジネスコマーシャル・コンテンツの製作者、もしくはプロバイダはコマーシャル、公告などを周期的、または長期的に放送することができる。これによって得られる公告収入は、マルチメディアコンテンツ配信システムの運営などに係る経費に相殺することができる。
【００８４】
また、投票エリアとコマーシャルエリアを１つのエリアにまとめて、ユーザーがコマーシャル商品に対して投票するか、もしくは投票の結果に基づいてコマーシャルを選択するようにしてもよい。例えばアンケート調査を行い、ユーザーの嗜好、趣味を調査する。仮にユーザーがスポーツと回答すると、スポーツに関連するコマーシャルが放送される。
【００８５】
また、この発明はスケジューラを提供する。該スケジューラは、ユーザーがその場で配信されたコンテンツを記録した回数、時間、または記録を予定するコンテンツの配信時間を忘れないようにするためのものである。また、該スケジューラには、ユーザーが将来において参加するネットワーク会議、イベント等のデータを入力する時間表を構築することができる。一例を挙げると、あるコンサートが確定した期日、時間に生放送されるとした場合、ユーザーが該コンサートに係るデータを時間表に入力すると、ユーザーがその時間にいなくても該コンサートが記録される。
【００８６】
また、該スケジューラはタイマー、アラームとして利用することができる。即ち、ネットワーク会議が開始される時間になると、スケジューラがユーザーに通知する。例えば、ネットワーク会議が、ある確定した期日に開催されるとした場合、スケジューラが定期的にユーザーに通知する。よって、ユーザーはネットワーク会議の準備を行う場合に便利である。また、スケジューラの履歴は記録されて、収集、分析される。
【００８７】
ディジタル・ライト・マネージメントモジュール（ｄｉｇｉｔａｌ  ｒａｉｇｈｔｓ  ｍａｎａｇｅｍｅｎｔ  ｍｏｄｕｌｅ）は、マルチメディアコンテンツを保護するためのものであって、コンテンツの製作者がコピー、もしくは記録されないようにコンテンツを保護するよう要求した場合、該コンテンツはパスワードで編集されるか、プロテクトがかけられる。よって、ユーザーは単独の時間、もしくはリアルタイムで鑑賞することができるが、マルチメディアデータのストリームを記録することがない。また、ディジタルコピーライトは権利を受けていないユーザーがコンテンツを鑑賞することを防ぐ。また、ユーザーは料金を支払ってコンテンツを鑑賞したり、保存したりする権利を取得する。
【００８８】
また、ショッピングエリアを設けることによって、ユーザーはチャンネル上に既存するマルチメディアコンテンツ、その他商品を容易に購買することができる。例えば、ユーザーが映画、音楽会のコンテンツを鑑賞する時、または鑑賞した後、ユーザーは該コンテンツの映像を購買することができる。同様に、チャネル上で商品の展示、紹介、広告を行うことによって、ユーザーは容易に購買することができる。必要であれば、ユーザーが個人、もしくはグループの場合の購買の履歴、もしくは行為を得ることができる。ユーザーはその機能を具えているか、もしくは失っている。係る機能は、ユーザーがライクマインドユーザー（ｌｉｋｅ−ｍｉｎｄｅｄ  ｕｓｅｒｓ）の推薦を受け取ることができる点が利点といえる。該推薦は、ユーザーの購買の履歴、もしくは購買のスタイルに基づいて行われる。例を挙げると、ユーザーＡが芸能人ＢのジャズのＣＤを購買した場合、別途芸能人ＢのＣＤを購買したユーザーの購買の履歴を利用して、芸能人Ｂに類似する芸能人ＣをユーザーＡに推薦する。
【００８９】
この発明のインタフェースは、対話式ツール、会議、チャンネル、もしくはファンクションセレクトリスト等のその他インタフェース画面の選択を表示する。該インタフェースは単一のページに表示するか、または複数のページのページタブ・インタフェースを表示することができる。インタフェース上の画面は容易に希望するタブページに切替えすることができ、また、未使用のホワイトボードなどの新しいページ画面を作成することができる。該ページタブ・インタフェースは、ユーザーが同じページ画面をみるために便利なように同時に表示するか、もしくは閉じることができ、ページ画面の設定、もしくは表示は、ホスト端がその他ユーザーを制御するか、もしくは個別のユーザー自身で制御する。
【００９０】
インタフェース画面の版面は、コンテンツのプロバイダ、もしくは製作者が作成するか、もしくはユーザー自身で作成することができる。コンテンツの作成者は代表的で、特色を具え、役立つ版面を創作する。暗黙の価値を具える版面設計は、標準のインタフェース画面と見なされる。
【００９１】
また、この発明はチャネルガイドを提供する。該チャネルガイドは、番組、またはチャネルのガイドを行い、ユーザーのチャネル選択、チャネル情報の取得、時間表の作成の便宜を図るものである。該チャネルガイドは、時間表と同期して作動するようにしてもよい。これによってユーザーは、記録の整理、予定されるイベントの通知等を容易に行うことができる。チャネルガイドはマルチメディア形式を利用して、コンテンツ、エリア、位置、趣味、流行、日時などをグループ分けしてチャネルに表示する。よって、ユーザーは興味を感じるエリア、予定されるイベントを容易にサーチすることができる。
【００９２】
また、この発明は掲示ウィンドウを提供して、ホスト端からコンテンツの配信に関してユーザーに通知を行う。係る通知はテキストメッセージなどによって行い、かつ水平スクロール、垂直スクロール、固定スクロール、またはその他の方法で、ホスト端からすべてのユーザー、もしくは選択されたユーザーに配布、更新、通知などを伝送する。例えば、スポーツのチャンネルでは試合の得点数の表示を継続して更新する。
【００９３】
図４に、この発明のマルチメディアコンテンツ配信方法の一例として、配信するコンテンツがライブコンサートである場合の例を挙げる。図面によれば、インタフェース画面４００は、第１マルチメディア・ウィンドウ４１０と、第２マルチメディア・ウィンドウ４６０と、ツールバー４２０と、第３マルチメディア・ウィンドウ４３０と、データ・ウィンドウ４４０と、チャットルームエリア４５０とを含んでなる。
【００９４】
図面に開示する応用例においては、第２マルチメディア・ウィンドウ４６０にライブコンサートの映像を表示し、第１マルチメディア・ウィンドウ４１０には、演奏者の最新の音楽関連映像を表示する。第３マルチメディア・ウィンドウ４３０には、ホスト端、または他の会員の映像を表示する。データ・ウィンドウ４４に０は、出演者に関連するデータを表示する。コンサートが進行する間、会員はチャットルームエリア４５０でその他の会員及びホスト端にテキストメッセージを送信し、チャットをすることができる。ツールバー４２０は、それぞれ異なる制御ツールと、選択を行うためのセレクトボタンを提供する。
【００９５】
図５に、この発明におけるインタフェース画面の他の実施態様として、配信するコンテンツがニュース番組である場合の応用例を開示する。図面によれば、インタフェース画面５００は、第１マルチメディア・ウィンドウ５１０と、ツールバー５２０と、第２マルチメディア・ウィンドウ５３０と、番組ガイド５４０と、データ・ウィンドウ５５０と、チャットエリア５６０とを含む。
【００９６】
従来のテレビニュースは第１マルチメディア・ウィンドウ５１０に表示され、天気情報などのデータはデータ・ウィンドウ５５０内に表示される。第２マルチメディア・ウィンドウ５３０には、ホスト端、その他会員の映像、もしくはその他マルチメディアコンテンツを表示する。例えば、第１マルチメディア・ウィンドウ５１０で表示するコンテンツに関連する司会者、もしくは関連する画像が第２マルチメディア・ウィンドウ５３０に表示される。また、会員はチャットエリア５６０を利用して関連する話題、もしくはマルチメディアコンテンツについてリアルタイムで討論することができる。
【００９７】
ツールバー５２０は、現場中継ボタン５２１、ビデオオンデマンド（ｖｉｄｅｏ  ｏｎ  ｄｅｍａｎｄ、ＶＯＤ）ボタン５２２、番組ボタン５２３を含む。
【００９８】
番組ガイド５４０は、それぞれの番組の情報と時間表を表示する。現場中継ボタン５２１、ビデオオンデマンドボタン５２２、または番組ボタン５２３の内の任意の１つを選択してクリックすると、番組ガイド５４０は関連する適宜な情報と時間表を表示する。
【００９９】
その他の特別な情報は、掲示エリア５７０内に表示してすべての会員に伝送する。
【０１００】
以上をまとめると、この発明におけるインタフェース画面は、番組の類型に合わせて柔軟的に変化してひろく応用することができる。また、必要に応じて画面の表示を簡易化することができる。
【０１０１】
図６に、この発明におけるインタフェース画面のその他実施態様を開示する。図面によれば、インタフェース画面６００は、マルチメディア・ウィンドウ６１０と、データエリア６２０と、チャットルームエリア６３０を含んでなる。このように、コンテンツの製作者はインタフェース画面６００の構成を簡易なものにして会員に提供してもよい。
【０１０２】
また、会員、またはユーザーとの間で、更に多くの対話を必要とする場合、図７に開示するようなインタフェース画面を提供することができる。図面によれば、インタフェース画面７００はグループによるディスカッションに適する。インタフェース画面７００は、複数のマルチメディア・ウィンドウ７１０と、共有ホワイトボード７２０と、チャットルームエリア７３０と、ツールバー７４０と、会員リスト７５０とを含んでなる。それぞれの会員の画像は、マルチメディア・ウィンドウ７１０に表示する。全ての会員は共有ホワイトボード７２０を利用してディスカッションに参加し、意見を交換することができる。会員は音声信号を利用して通信するか、またはチャットルームエリア７３０を利用して通信する。
【０１０３】
また、図８に開示するインタフェース画面８００は、複数のマルチメディア・ウィンドウ８１０と、チャットルームエリア８３０と、コマーシャルエリア８２０とを含む。マルチメディアコンテンツのデータストリームがマルチメディア・ウィンドウ８１０で表示される場合、コマーシャルエリア８２０で適宜なコマーシャルを表示することができる。
【０１０４】
以上から明らかなように、この発明におけるインタフェース画面は、配信するコンテンツの累計に合わせ、幅広く応用することができる。即ち、コンテンツ、画面のレイアウト、ウィンドウのサイズ、ユーザーの数量、プロバイダ、コンテンツを起動する位置などは実際の使用に応じて変化させることができる。
【０１０５】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【０１０６】
【図１】この発明のマルチメディアコンテンツ配信方法を行うシステムの基本的な構造を示した説明図である。
【図２】この発明におけるインタフェース画面の説明図である。
【図３Ａ】この発明におけるインタフェース画面の一例を示した説明図である。
【図３Ｂ】図３Ａに開示するインタフェース画面の一部のウィンドウをフル画面表示にした状態を示した説明図である。
【図３Ｃ】図２に開示するインタフェース画面において、データを表示した例を示した説明図である。
【図３Ｄ】図２に開示するインタフェース画面におけるチャットルームエリアを示した説明図である。
【図３Ｅ】図２に開示するインタフェース画面における投票エリアを示した説明図である。
【図３Ｆ】図２に開示するインタフェース画面におけるツールバーを示した説明図である。
【図４】この発明におけるインタフェース画面の他の態様を示した説明図である。
【図５】この発明におけるインタフェース画面のその他態様を示した説明図である。
【図６】この発明におけるインタフェース画面の別の態様を示した説明図である。
【図７】この発明におけるインタフェース画面のもう一つの態様を示した説明図である。
【図８】この発明におけるインタフェース画面の違う態様を示した説明図である。
【符号の説明】
【０１０７】
１１０        マルチメディアコンテンツ配信システム
１２０        コアサーバ
１２１        認証サーバ
１２２        マスターサーバ
１２３        ウェブサーバ
１２４        データベース
１３０        ファイヤウォール
１４１        ストリーミングサーバ
１４２        ストリーミングサーバ
１４３        ストリーミングサーバ
１４４        ストリーミングサーバ
１５１        エンコーダ
１５２        エンコーダ
１６１        ユーザー
１６２        ユーザー
１６３        ユーザー
１６４        ユーザー
２００        インタフェース画面
２１０        インターネットブラウザ・ウィンドウ
２１５        アドレスバー
２２０        マルチメディア・ウィンドウ
２２５        マルチメディア・ウィンドウ
２３０        ユーザーマルチメディア・ウィンドウ
２４０        メッセージ・ウィンドウ
２４１        ＴＯボックス
２４２        テキスト入力ボックス
２４３        システムメッセージボックス
２５０        会員リスト・ウィンドウ
２５２        会員名
２５３        ステータスピクチャ
２６０        コントロールエリア
３００        マルチメディアインタフェース
１０          マルチメディア・ウィンドウ
３２０        ツールバー
３２１        対話ボタン
３２２        サービスボタン
３２３        マイ
３３１        セレクトボタン
３４０        チャットルームエリア
３４１        テキスト入力ボックス
３４２        送信ボタン
３４３        スクロールバー
３４４        メッセージ・ウィンドウ
３５０        投票エリア
３５１        質問エリア
３５２        結果発表エリア
４００        対話式マルチメディアインタフェース
４１０        第１マルチメディア・ウィンドウ
４２０        ツールバー
４３０        第３マルチメディア・ウィンドウ
４４０        データ・ウィンドウ
４５０        チャットルームエリア
４６０        第２マルチメディア・ウィンドウ
５００        対話式マルチメディアインタフェース
５１０        第１マルチメディア・ウィンドウ
５２０        ツールバー
５２１        現場中継ボタン
５２２        ビデオオンデマンドボタン
５２３        番組ボタン
５３０        第２マルチメディア・ウィンドウ
５４０        番組ガイド
５５０        データ・ウィンドウ
５６０        チャットエリア
５７０        掲示エリア
６００        インタフェース画面
６１０        マルチメディア・ウィンドウ
６２０        データエリア
６３０        チャットルームエリア
７００        インタフェース画面
７１０        マルチメディア・ウィンドウ
７２０        共有ホワイトボード
７３０        チャットルームエリア
７４０        ツールバー
７５０        会員リスト
８００        インタフェース画面
８１０        マルチメディア・ウィンドウ
８２０        コマーシャルエリア
８３０        チャットルームエリア
【図１】
2006314073.tif 000003
【図２】
2006314073.tif 000004
【図３Ａ】
2006314073.tif 000005
【図３Ｂ】
2006314073.tif 000006
【図３Ｃ】
2006314073.tif 000007
【図３Ｄ】
2006314073.tif 000008
【図３Ｅ】
2006314073.tif 000009
【図３Ｆ】
2006314073.tif 000010
【図４】
2006314073.tif 000011
【図５】
2006314073.tif 000012
【図６】
2006314073.tif 000013
【図７】
2006314073.tif 000014
【図８】
2006314073.tif 000015